(57)【要約】      （修正有）【課題】種々の工具を収納可能で、工具の取り出しを容易にする工具収納箱を提供する。【解決手段】紙製の箱型の本体の前面開口１６から、本体内に紙製の収納部が出し入れ可能である。収納部は、本体内での収納状態において開口１６を覆う矩形に形成された正面壁１８を有し、正面壁１８の両側からそれぞれ本体内に側壁２０、２１が伸び、これら側壁２０、２１の本体内の端間を矩形の背面壁２２が繋ぎ、背面壁２２は正面壁１８と平行にかつその下端が正面壁１８の下端と同じ高さ位置に位置している。正面壁１８と背面壁２２と側壁２０、２１とによって囲われて空間が形成されている。空間内に軟質ブロック６が配置されている。工具３０、３２の長さ方向に沿う部分を挿通可能に、互いに間隔をおいて複数の切込み２８が軟質ブロック６の上面６ａに形成されている。【選択図】図１
0003214096.tif 000002
【実用新案登録請求の範囲】
【請求項１】
紙製の箱型で、前面が矩形に開口している本体と、
前記開口から前記本体内に出し入れ可能な紙製であって、前記本体内での収納状態において前記開口を覆う矩形に形成された第１の壁の両側からそれぞれ前記本体内に側壁が伸び、これら側壁の前記本体内の端間を第１の壁よりも高さ寸法が短い矩形の第２の壁が繋ぎ、第２の壁は、第１の壁と平行にかつその下端が第１の壁の下端と同じ高さ位置に位置し、第１及び第２の壁と前記側壁とによって空間を形成している収納部と、
前記収納部の前記空間内に配置され、工具の長さ方向に沿う部分を挿通可能に、互いに間隔をおいて複数の工具挿通部が上面から内部に形成された軟質ブロックとを、
有する工具収納箱。
【請求項２】
請求項１記載の工具収納箱において、前記本体の開口の全ての縁は、前記本体を形成している紙を折り返して形成されている工具収納箱。
【請求項３】
請求項１または２記載の工具収納箱において、前記収納部の前記側壁は、第１の壁と前記側壁との境界が、前記収納部を形成している紙を折り返して形成されている工具収納箱。
【請求項４】
請求項１乃至３いずれか記載の工具収納箱において、前記収納部の第２の壁の上縁は、前記収納部を形成している紙を折り返して形成されている工具収納箱。
【請求項５】
請求項１乃至４いずれか記載の工具収納箱において、本体の上壁、下壁及び側壁は、いずれもが折り返された紙によって２重に構成され、収納部の第１及び第２の壁はいずれもが折り返された紙によって２重に構成されている工具収納箱。
【考案の詳細な説明】
【技術分野】
【０００１】
本考案は、例えばドライバーやドリル刃のような工具を収容する工具収納箱に関する。
【背景技術】
【０００２】
従来、工具収納箱としては、例えば特許文献１に開示されているようなものがある。特許文献１では、上部が矩形に開口した箱型の工具箱本体に、開口を開閉する矩形の蓋を、工具箱本体の開口の一縁に取り付け、工具箱本体の内部にウレタン樹脂製の直方体状のトレーを配置し、このトレーの上面に、複数の工具それぞれの外形に対応した窪みを形成し、これら窪みそれぞれに、対応する工具を横倒しの状態に配置している。
【先行技術文献】
【特許文献】
【０００３】
【特許文献１】特開平８−３９６１４号公報
【考案の概要】
【考案が解決しようとする課題】
【０００４】
特許文献１の技術によれば、蓋をあけて、トレー上の所望の工具を見つけ、横倒しになっている工具をトレーから取り出している。従って、工具を取り出す際には、蓋の開閉が必要であり、しかも、横倒しになっている工具を取り出さねばならず、取り出し作業が面倒であった。さらに、トレーには、窪みの形状に対応した工具しか収納できず、工具の収用に対して汎用性が無かった。
【０００５】
本考案は、種々の工具を収納可能で、工具の取り出しが容易な工具収納箱を提供することを目的とする。
【課題を解決するための手段】
【０００６】
本考案の一態様の工具収納箱は、本体を有している。本体は、紙製、例えば段ボール紙製の箱型のもので、前面が矩形に開口している。前記開口から前記本体内に出し入れ可能な紙製、例えば段ボール紙製の収納部が前記本体に設けられている。収納部は、前記本体内への収納状態において前記開口を覆う矩形に形成された第１の壁を有し、これら第１の壁の両側からそれぞれ前記本体内に側壁が伸び、これら側壁の前記本体内の端間を第１の壁よりも高さ寸法が短い矩形の第２の壁が繋いでいる。第２の壁は、第１の壁と平行にかつその下端が第１の壁の下端と同じ高さ位置に位置している。第１及び第２の壁と前記側壁とによって空間が形成されている。第１及び第２の壁と前記側壁の下縁間を繋いで、底壁を構成することもできる。前記収納部の前記空間内に軟質ブロックが配置されている。軟質ブロックには、互いに間隔をおいて複数の工具挿通部が形成されている。複数の工具挿通部は、工具の長さ方向に沿う部分が挿通可能に軟質ブロックの上面から軟質ブロックの内部に形成されている。例えば軟質ブロックに形成した切込みを工具挿通部とすることができ、軟質ブロックの底に到達するように切込みを形成することもできる。
【０００７】
この工具収納箱では、収納部を箱本体から取り出した状態で、収納部の内部にある軟質ブロックの工具挿通部に、工具の長さ方向に沿う部分を挿通する。従って、種々の形状の工具を収納可能で、収納する工具が特定のものに限られず、汎用性がある。工具挿通部のいずれの場所にも工具を挿通可能であるので、挿通作業が容易に行える。収納部の第１の壁が箱本体の開口を覆うように、箱本体内に収納部を収容する。このように収容しているので、工具収納箱の設置スペースが小さい。本体から収納部を引き出すと、軟質ブロックに挿通されている工具を見ることができ、取り出す工具を決定して取り出す。なお、収納部を箱本体から引き出して、第２の壁が箱本体の開口に位置するように再度収納部を箱本体部に収容すると、第２の壁の高さ寸法は、第１の壁の高さ寸法よりも短いので、開口を介して軟質ブロック上の種々の工具を見ることができるし、工具の取り出しも容易である。従って、作業中に頻繁に工具を取り出す必要がある場合に便利である。しかも、工具は、その長さ方向に沿う部分が軟質ブロックの工具挿通部に挿通されているので、その取り出しが容易である。また、箱本体及び収納部は紙製であるので、紙を折り曲げることによって構成することができ、その製造が容易であるし、本体も収納部も軽量で、収納部を収容した本体の運搬も容易となる。
【０００８】
前記本体の開口の全ての縁は、前記本体を形成している紙を折り返して形成されているものとすることができる。このように構成すると、本体の開口の縁には、紙の断面が露出せず、工具の取り出しの際に、開口の縁に作業員の手などが接触しても、手を傷つけることがない。
【０００９】
また、前記収納部の前記側壁は、第１の壁と前記側壁との境界が、前記収納部を形成している紙を折り返して形成されているものとすることができる。このように構成すると、収納部を引き出す際に、第１の壁と前記側壁との境界に作業員の手が接触しても、手を傷つけることがない。
【００１０】
前記収納部の第２の壁の上縁は、前記収納部を形成している紙を折り返して形成されているものとすることができる。このように構成すると、収納部の第２の壁が箱本体の開口に位置するように収納部を箱本体に収容した状態で、工具の取り出しを行う際に、第２の壁の上縁に作業員の手が接触しても、手を傷つけることがない。
【００１１】
本体の上壁、下壁及び側壁は、いずれもが折り返された紙によって２重に構成され、収納部の第１及び第２の壁はいずれもが折り返された紙によって２重に構成されているものとすることができる。このようにすると、本体及び収納部の機械的強度が増し、工具がたとえ重いものであっても、本体及び収納部は丈夫である。
【考案の効果】
【００１２】
以上のように請求項１記載の考案によれば、どのような工具であっても、その工具の挿通作業が容易に行えるし、工具の取り出しが容易であり、特に作業中に頻繁に工具を取り出す必要がある場合にも取り出しが容易であり、箱本体及び収納部の製造も容易であるし、運搬も容易である。請求項２乃至４いずれの考案でも、更に工具の取り出しの際に作業員が手を傷つけることを防止できる。
【図面の簡単な説明】
【００１３】
【図１】本考案の１実施形態の工具収納箱における工具の出し入れの説明図である。
【図２】図１の工具収納箱の組立図である。
【図３】図１の工具収納箱の本体の正面図である。
【図４】図１の工具収納箱の本体の縦断側面図である。
【図５】図１の工具収納箱の展開図である。
【図６】図１の工具収納箱の収納部の正面図である。
【図７】図１の工具収納箱の収納部の縦断側面図である。
【図８】図１の工具収納箱の収納部の展開図である。
【図９】図１の工具収納箱の軟質ブロックの縦断側面図である。
【考案を実施するための形態】
【００１４】
本考案の１実施形態の工具収納箱は、図２に示すように本体２と、収納部４と、軟質ブロック６とを有している。
【００１５】
本体２は、紙、例えば段ボール紙製で、上壁８、下壁１０、側壁１２、１３及び背壁１４を有し、正面に矩形、例えば長方形状の開口１６を有する直方体状のものである。
【００１６】
収納部４も、紙、例えば段ボール紙製で、本体２の開口１６を介して図１（ａ）に示すように本体２内に収容される。収納部４は、開口１６に合致する大きさの長方形状の第１の壁、例えば正面壁１８を有し、その上縁近傍には引手として使用する長孔１９が形成されている。図１（ｂ）に示すように、正面壁１８の両側の縁から後方にそれぞれ側壁２０、２１が正面壁１８に対して９０度をなすように形成されている。側壁２０、２１は正面壁１８の上端から後方に向かって伸延する上縁を有し、この上縁の正面壁１８と離れた端から斜め下方に向けて伸びる斜辺を有し、この斜辺の端から垂直に後縁が形成されている。側壁２０、２１の後縁間を繋いで、第２の壁、例えば背面壁２２が形成されている。背面壁２２は、正面壁１８と間隔をおいて位置し、正面壁１８よりも小さい長方形状である。図２に示すように、正面壁１８、側壁２０、２１及び背面壁２２それぞれの下縁を繋いで長方形状の底壁２４が配置され、これらによって囲われて、空間２６が形成されている。
【００１７】
図１（ｃ）に示すように、この空間２６に軟質ブロック６が配置されている。軟質ブロック６は図２に示すように空間２６に対応する直方体状に、例えば軟質のウレタン樹脂によって形成されて、空間２６に収納されている。軟質ブロック６の上面６ａには、工具挿通部、例えば十字状の切込み２８が形成されている。これら切込み２８は、縦横に整列して複数形成されている。これら切込み２８は、図９に示すように、上面６ａから下面６ｂに到達するように形成されている。
【００１８】
これら切込み２８に、図１（ｃ）に示すように、工具、例えばドライバー３０やドリル刃３２が、その長さ方向の一部が切込み２８内に挿入されて、支持されている。このような支持を行っているので、挿通だけ行えばよく、例えば軟質ブロック６の上面６ａに、ドライバー３０やドリル刃３２の全体に沿う凹所を形成し、その凹所内にドライバー３０やドリル刃３２を収容する場合よりも収納が容易であるし、また多くの工具を収容することができる。
【００１９】
この工具収納箱では、図１（ｃ）に示すように軟質ブロック６が収納部４の空間２６に収容されている状態で、軟質ブロック６の切込み２８にドライバー３０やドリル刃３２等の工具を挿通し、同図（ｂ）に示すように収納部４の正面壁１８が本体２の正面側に位置するように配置して、収納部４を本体２の開口１４から本体２内に挿入し、図１（ａ）に示すように正面壁１８に開口１４を閉じさせる。この状態で、この工具収納箱の運搬等を行う。
【００２０】
工具を取り出す際には、正面壁１８の長孔１９に手をかけて、収納部４を本体２の開口１４から引き出し、切込み２８から所望の工具を引き出せばよい。この場合、側壁２０、２１が斜辺を有するので、この斜辺越しに軟質ブロック６上の工具を取り出すことができ、取り出しが容易である。この工具箱内の工具を頻繁に出し入れする場合には、図１（ｃ）に示すように正面壁１８が本体２の背壁１４に接触するように収納部４を本体２内に収納しておけば、工具の取り出しが容易である。特に、軟質ブロック６を使用しているので、本体２の背壁１４に近い位置の工具を取り出す場合でも、工具を開口１４側に傾けると、軟質ブロック６が傾斜して、容易に取り出せる。
【００２１】
本体２は、図５に示すようにダンボール紙を裁断したものを組み立てることによって形成される。即ち、横長の長方形状に形成された背壁１４の上縁に連なって矩形の上壁構成部材８ａが形成されている。この上壁構成部材８ａの上縁に２重の折れ線を介して上壁構成部材８ｂが形成されている。上壁構成部材８ｂは上壁構成部材８ａとほほ同じ形状での両側縁は、上壁構成部材８ａの境界付近から切りかかれている。同様に背壁１４の下縁側に下壁構成部材１０ａ、１０ｂが形成されている。背壁１４の左側縁には縦長の長方形状の側壁構成部材１２ａが連ねて形成され、側壁構成部材１２ａの側縁には２重の折れ線を介して側壁構成部材１２ｂが形成されている。側壁構成部材１２ｂは、側壁構成部材１２ａとほぼ同じ形状である。これら側壁構成部材１２ａ、１２ｂの上下両縁には、概略横長の長方形状の係止片３４ａ、３４ｂ、３６ａ、３６ｂが形成されている。同様に、背壁１４の右側縁側に側壁構成部材１３ａ、１３ｂが形成され、これら側壁構成部材１３ａ、１３ｂには係止片３８ａ、３８ｂ、４０ａ、４０ｂが形成されている。
【００２２】
本体２は、図５の状態において、例えば上壁構成部材８ａを背壁１４に対して９０度をなすように谷折りし、更に上壁構成部材８ｂを２重の折れ線で谷折りして、図４に示すように上壁構成部材８ａが上側に位置し、上壁構成部材８ｂが下側に位置するように重ねて、上壁８を構成する。同様に下壁構成部材１０ａ、１０ｂも折り曲げて、下壁構成部材１０ａが下側に位置し、下壁構成部材１０ｂが上側に位置するように重ねて、下壁１０を構成する。次に、側壁構成部材１２ａを背壁１４に対して９０度をなすように谷折りし、更に側壁構成部材１２を２重の折れ線に沿って谷折りし、図３に示すように側壁構成部材１２ａが外側に位置し、側壁構成部材１２ｂが内側に位置するように重ねて、側壁１２を構成する。そして、係止片３４ａ、３６ａを谷折りして、図４に示すように上壁構成部材８ａ、８ｂ間に挿入し、係止片３４ｂ、３６ｂを谷折りして、下壁構成部材１０ａ、１０ｂ間に挿入して、側壁１２を固定する。同様に側壁構成部材１３ａ、１３ｂ、係止片３８ａ、３８ｂ、４０ａ、４０ｂを折り曲げて、側壁１３を固定する。これによって、本体２が形成される。このように折り曲げているので、上壁８、下壁１０、側壁１２、１３は全て２重に構成されているので機械的強度が大きく、破損しにくい。しかも、本体２の開口１４の周囲は、上壁構成部材８ａと８ｂとの折り目、下壁構成部材１０ａと１０ｂとの折り目、側壁構成部材１２ａと１２ｂとの折り目、側壁構成部材１３ａと１３ｂとの折り目で構成されており、開口１４の周囲に人の手が接触しても、手を損傷することはない。
【００２３】
収納部４は、図８に示すように裁断した段ボール紙を組み立てることによって製造される。図８において、正面壁１８を構成する正面壁構成部材１８ａは長方形状に形成され、その上縁に繋いで同じ形状の正面壁構成部材１８ｂが２重の折線を介して形成されている。正面壁構成部材１８ａの下縁には横長の外側底壁構成部材２４ａが形成されている。正面壁構成部材１８ａの左縁につなげて側壁２０が、その斜辺が正面壁構成部材１８ａと反対側に位置するように形成されている。側壁２０の下縁には係止片４２ａが連ねて形成されている。係止片４２ａは、その右縁側に縦長の長方形状を有し、その左縁側に側壁２０の下縁に連なるに直角三角形を有している。側壁２０の左縁の短い縁に連ねて背面壁構成部材２２ａが横長の長方形状に形成され、その上縁に２重の折線を介して同じ形状の背面壁構成部材２２ｂが形成されている。背面壁構成部材２２ｂの上縁には、折れ線を介して横長の長方形状の内側底壁構成部材２４ｂが形成されている。また、背壁構成部材２２ａの下縁には横長の長方形状の外側底壁構成部材２４ｃが形成されている。背面壁構成部材２２ａの左縁には、側壁２０と同一形状の側壁２１がその短い縁を連ねて形成されている。側壁２１の下縁には、係止片４２ａと同じ形状の係止片４２ｂが形成され、側壁２１の左縁には台形状の係止片４４が形成されている。
【００２４】
正面壁構成部材１８ａが外側で正面壁構成部材１８ｂが内側に位置して重なるように正面壁構成部材１８ａ、１８ｂは二重の折れ線によって山折りされ、側壁２０を正面壁構成部材１８ａに対して９０度をなすように山折し、背面壁構成部材２２ａを側壁２０に対して山折りし、さらに背面壁構成部材２２ａが外側で、背面壁構成部材２２ｂが内側に位置するように２重の折れ線に沿って山折りし、背面壁構成部材２２ｂに対して９０度をなすように内側底壁構成部材２４ｂを谷折りする。そして、側壁２１を背面壁構成部材２２ａに対して９０度なすように山折りし、係止片４４を山折りして、図７に示すように重なっている正面壁構成部材１８ａ、１８ｂの間に挿入する。そして、外側底壁構成部材２４ａを正面壁構成部材１８ａに対して９０度をなすように山折りし、同じく外側底壁構成部材２４ｃを背面壁構成部材２２ａに対して９０度をなすように山折りし、係止片４２ａ、４２ｂを側壁２０、２１に対して９０をなすように山折りして、内側底壁構成部材２４ｂと外側底壁構成部材２４ａ、２４ｃとの間に挿入する。これによって、収容箱４が構成される。
【００２５】
正面壁１８は正面壁構成部材１８ａ、１８ｂによって二重に構成され、背面壁２２も背面壁構成部材２２ａ、２２ｂによって二重に構成され、底壁２４も内側底壁構成部材２４ｂと外側底壁構成部材２４ａ、２４ｃによって２重に構成されているので、機械的強度が高い。また、背面壁２２の上縁は、背面壁構成部材２２ａと２２ｂとの折り曲げ部分によって構成されているので、図１（ｃ）に示すように背面壁２２が作業員の手前にある状態で、工具を取り出そうとするとき、背面壁２２の上縁に作業員の手が触れても、手を損傷することはない。また、係止片４４を備えない側壁２０と正面壁構成部材１８ａとの境界は両者の折り返しによって形成され、係止片４４を備える側壁２１と係止片４４は、重ね合わせた正面壁構成部材１８ａ、１８ｂ間に挿入するために折り返されている。従って、側壁２０、２１と正面壁１８との境界は、いずれも紙の折り返しによって構成されているので、これら境界部分に手が接触しても、手を傷つけることはない。
【００２６】
上記の実施形態では、工具としてドライバーとドリル刃とを示したが、他の工具も収納することができる。上記の実施形態では収納部４の側壁は、斜辺を有するものとしたが、斜辺を有さない長方形状のものとすることもできる。上記の実施形態では、工具挿通部として切込み２８は、軟質ブロック６の下面６ｂに到達するものとしたが、下面６ｂの中途まで形成することもできる。また切込み２８に代えて、例えば円孔を工具挿通部として使用することもできる。なお、切込み２８や上記の円孔は、軟質ブロック６の下面６ｂに到達するように構成することもできるし、下面６ｂの中途まで形成することもできる。
【符号の説明】
【００２７】
２  本体
４  収納部
６  軟質ブロック
１６  開口
１８  正面壁（第１の壁）
２０  側壁
２２  背面壁（第２の壁）
２８  切込み（工具挿通部）
３０  ドライバー（工具）
３２  ドリル刃（工具）
【図１】
0003214096.tif 000003
【図２】
0003214096.tif 000004
【図３】
0003214096.tif 000005
【図４】
0003214096.tif 000006
【図５】
0003214096.tif 000007
【図６】
0003214096.tif 000008
【図７】
0003214096.tif 000009
【図８】
0003214096.tif 000010
【図９】
0003214096.tif 000011